(57)【要約】【課題】  トレイ形包装用箱の底パネル１を介してパッケージ容器１５の底部に加わる外力を緩和できるようにし、これにより、パッケージ容器１５に収納し、さらにトレイ形包装用箱に収納した生鮮果実等が傷みにくくする。【解決手段】  トレイ形包装用箱は、底パネル１の対向する２辺から箱体の側壁を形成するパネルを起立させ、底パネル１の対向する他の２辺から箱体の端壁を形成するパネルを起立させ、隣接する側壁のパネルと端壁のパネルとを互いに連結して上面を開口した箱体を形成し、箱体内部にトレイ状のパッケージ容器１５を収納するものである。さらに、箱体内部にパッケージ容器１５の周囲に延設したフランジ１７を支持する支持パネル１０、１１を設ける。支持パネル１０、１１の底パネル１からの高さは、パッケージ容器１５のフランジ１７の高さより高くする。【選択図】      図３
2005067671.tif 000002
【特許請求の範囲】
【請求項１】
底パネル（１）の対向する２辺から箱体の側壁を形成するパネルを起立させ、底パネル（１）の対向する他の２辺から箱体の端壁を形成するパネルを起立させ、隣接するこれら側壁のパネルと端壁のパネルとを互いに連結して上面を開口した箱体を形成し、箱体内部にトレイ状のパッケージ容器（１５）を収納するトレイ形包装用箱において、箱体内部にパッケージ容器（１５）の周囲に延設したフランジ（１７）を支持する支持パネル（１０）、（１１）を設けたことを特徴とするトレイ形包装用箱。
【請求項２】
支持パネル（１０）、（１１）の底パネル（１）からの高さは、パッケージ容器（１５）のフランジ（１７）の高さより高いことを特徴とする請求項１に記載のトレイ形包装用箱。
【発明の詳細な説明】
【技術分野】
【０００１】
本発明は、底パネルの対向する２辺から箱体の側壁を形成するパネルを起立させ、底パネルの対向する他の２辺から箱体の端壁を形成するパネルを起立させ、隣接する側壁のパネルと端壁のパネルとを互いに連結して上面を開口する箱体を形成したトレイ形包装用箱に関し、特に箱内に仕切パネルを設けたトレイ形包装用箱に関し、特に箱体内部にトレイ状のパッケージ容器１５を収納するトレイ形包装用箱に関する。
【背景技術】
【０００２】
例えば、イチゴ等の生鮮果実を収納したパックを収納して出荷する箱体として前述のようなトレイ形包装用箱が多く使用されている。
このトレイ形包装用箱は、矩形の底パネルの対向する２辺から側パネルを起立させ、底パネルの対向する他の２辺から端パネルを起立させる。そして例えば、側パネルの両側に延設した連結フラップを端パネルの内側で互いに連結し、二重にした端パネルの間に挟み込むか、或いは連結フラップを端パネルに連結することにより、隣接する側パネルと端パネルとを互いに連結したものである。
【０００３】
このようなトレイ形包装用箱は、長さや幅の寸法に比べて比較的浅く、仕切により４つに区画し、それぞれの区画にイチゴのパッケージ容器を収納する。そのために、対向する側パネルの間と対向する端パネルの間にそれぞれ仕切パネルを渡し、これら仕切パネルを中央で互いに差し込んで直交状に交差させている。イチゴのパッケージ容器は、透明な樹脂製の容器で、平面長方形であり、側面及び端面が逆台形であり、開口部周囲にフランジが延設されている。
【０００４】
このようなトレイ形包装用箱は、イチゴ等の生鮮果実の生産農家が収穫した生鮮果実を出荷するときにブランクから組み立て、その中に出荷する生鮮果実のパックを詰めてその生鮮果実を出荷する。そして、市場での競り売り等を経て、小売店の店頭に並べられる。小売店の店頭では、パッケージ容器を一単位として生鮮果実が小売りされる。イチゴのこのような流通過程において、生鮮果実の傷みを防止し、鮮度を保持するためには、荷物の取扱中にトレイ形包装用箱に収納梱包された生鮮果実に外力が及ばないようにしなければならない。
【０００５】
ところが、従来のトレイ形包装用箱は、イチゴを収納したパッケージ容器をトレイ形包装用容器の内部に仕切られた各区画に収納しているため、パッケージ容器は底パネルに接した状態で収納される。このため、パッケージ容器に収納された生鮮果実は、トレイ形包装用容器の底パネルの外部から加わる外力を底パネルを介して受けることになる。そのため、流通過程で特にパッケージ容器の底部付近の生鮮果実が傷みやすい。
【特許文献１】特開２００２−３０２１１８号公報
【発明の開示】
【発明が解決しようとする課題】
【０００６】
本発明は、パッケージ容器に生鮮果実を収納した状態で梱包、出荷するための前述のような従来のトレイ形包装用箱の課題に鑑み、トレイ形包装用箱の底パネルを介してパッケージ容器の底部に加わる外力を緩和できるようにし、これにより、パッケージ容器に収納し、さらにトレイ形包装用箱に収納した生鮮果実等が傷みにくくすることを目的とする。
【課題を解決するための手段】
【０００７】
本発明では、前記の目的を達成するため、箱体のパッケージ容器１５を収納する部分に、そのパッケージ容器１５の開口部の周囲に延設したフランジ１７を支持する支持パネル１０、１１を設け、パッケージ容器１５をその底面だけでなく、パッケージ容器１５をフランジ１７でも支持するようにしたものである。或いは、パッケージ容器１５をフランジ１７のみで支持し、底面が箱体の底パネル１に当たらないようにした。これにより、パッケージ容器１５の底面からその中に収納した生鮮果実等の収納物に外力が及ばないようにした。
【０００８】
すなわち、本発明によるトレイ形包装用箱は、底パネル１の対向する２辺から箱体の側壁を形成するパネルを起立させ、底パネル１の対向する他の２辺から箱体の端壁を形成するパネルを起立させ、隣接する側壁のパネルと端壁のパネルとを互いに連結して上面を開口した箱体を形成し、箱体内部にトレイ状のパッケージ容器１５を収納するものであって、箱体内部にパッケージ容器１５の周囲に延設したフランジ１７を支持する支持パネル１０、１１を設けたものである。
【０００９】
このような本発明によるトレイ形包装用箱では、パッケージ容器１５を箱体内部に収納したとき、パッケージ容器１５の周囲に延設したフランジ１７が支持パネル１０、１１で支持されるため、箱体を介してパッケージ容器１５に加わる外力をそのフランジ１７でも受けることが出来る。これにより、箱体の底パネル１を介してパッケージ容器１５の底面に加わる外力を緩和することが出来る。
【００１０】
さらに、支持パネル１０、１１の底パネル１からの高さをパッケージ容器１５のフランジ１７の高さより高くすることにより、パッケージ容器１５の底面が箱体の底パネル１に当たらなくなる。これにより、箱体の底パネル１を介してパッケージ容器１５の底面に加わる外力を殆ど無くすことが出来る。
【発明の効果】
【００１１】
このように、本発明によるトレイ形包装用箱では、箱体の底パネル１を介してパッケージ容器１５の底面に加わる外力を緩和するか、或いは殆ど無くすことが出来るので、箱体の底パネル１を介してパッケージ容器１５の中に収納した収納物に及ぶ外力を緩和し、或いは無くすことが出来る。このため、生鮮果実等の収納物の傷みや破損を防止することが出来る。
【発明を実施するための最良の形態】
【００１２】
本発明では、箱体のパッケージ容器１５を収納する部分に、そのパッケージ容器１５の開口部の周囲に延設したフランジ１７を支持する支持パネル１０、１１を設け、パッケージ容器１５をその底面ではなく、フランジ１７でも支持するようにし、パッケージ容器１５に収納された収納物に加わる外力を緩和するようにした。
以下、このような本発明の実施例について、図面を参照しながら具体例を挙げて詳細に説明する。
【実施例１】
【００１３】
図１は、本発明の一実施形態によるトレイ形包装用箱のブランクの展開図である。同図において、実線は外形線と切断線、破線は段ボールの破線状に切断すると共に、段ボールの中芯を線状に潰して形成した折線、二点差線は段ボールの中芯を線状に潰して形成した折線を表す。
【００１４】
矩形の底パネル１の両側部、すなわち図１において底パネル１の左右両側の折線から、一対の側外パネル２、２が延設されている。この側外パネル２、２の幅、すなわち図１において上下の寸法は、底パネル１の側辺の長さとほぼ同じである。また、この側外パネル２、２はその中央部が低く、その両端部が高くなっている。この側外パネル２、２の両側、すなわち図１において上下の端の折線からは、補助フラップ９、９が延設されている。側外パネル２、２の両側からそれに続く補助フラップ９、９の一部の高さは、側外パネル２、２の中央部分より若干高くなっている。
【００１５】
この側外パネル２、２の両側部、すなわち図１において側外パネル２、２の左右両側には、二点差線で示す平行な２本の折線を介して側内パネル８、８が延設されており、側外パネル２、２に対し、二点差線で示す平行な２本の折線に沿って図１において紙面手前側に側内パネル８、８を折り曲げることができる。この側内パネル８、８の両側、すなわち図１において上下の端の折線からは、連結フラップ７、７が延設されている。この連結フラップ７、７の先端側には、後述するようにして箱体を組み立てるとき、連結フラップ７、７の先端部を互いに連結するためのスリットを有する。
【００１６】
矩形の底パネル１の両端部、すなわち図１において底パネル１の上下の２本ずつの平行な折線から、一対の端外パネル３、３が延設されている。この端外パネル３、３の幅、すなわち図１において左右の寸法は、底パネル１の幅、すなわち図１において左右の折線間の寸法とほぼ同じである。また、端外パネル３、３の高さは、前記側外パネル２、２の中央部分の高さと等しい。
【００１７】
この端外パネル３、３の上辺、すなわち図１において上下の辺には、２本の平行な折線を介して端内パネル４、４が延設されている。さらに、この端内パネル４、４の下辺、すなわち図１において上下の辺には、２本の平行な折線を介して支持パネル１１、１１が延設されている。この支持パネル１１の高さは、端外パネル３、３や端内パネル４、４より低い。
【００１８】
図１に示すように、箱体の本体を形成するブランクとは分離して、第一の仕切パネル５、５と第二の仕切パネル６が切り出されている。第一の仕切パネル５、５は２枚あり、その一方の端辺が折線を介して互いに連結されている。これら２枚の第一の仕切パネル５、５の形状は同じである。他方、第二の仕切パネル６は１枚である。
第一と第二の仕切パネル５、５と第二の仕切パネル６の高さは、前記側外パネル２、２の中央部分及び端外パネル３、３の高さとほぼ等しい。
【００１９】
第一の仕切パネル５の上辺、すなわち図１において右側の縁の中央から縦に、その第一の仕切パネル５の高さの約半分程の深さのスリット１８が切り込まれている。この第一の仕切パネル５の幅、すなわち図１において上下の寸法は、底パネル１の側外パネル２、２との折線間の距離、すなわち底パネル１の図１において左右の寸法より僅かに小さい。
【００２０】
他方、第二の仕切パネル６の下辺中央部からは、スリット１２が切り込まれている。このスリット１２の深さは、第二の仕切パネル６の高さの約半分程である。このスリット１２の下端部は、台形状にやや幅が広くなっている。また、第二の仕切パネル６の両側辺の下部の約半分の高さの部分には、切欠１３、１３が設けられている。この第二の仕切パネル６の長さ、すなわち図１において左右の寸法は、底パネル１の端外パネル３、３との折線間の距離、すなわち図１において底パネル１の上下の寸法よりやや小さい。
【００２１】
さらに、前記の第一の仕切パネル５、５の下辺に折線を介して支持パネル１０、１０が連なっている。この支持パネル１０、１０の幅、すなわち図１において上下の寸法は、第一の仕切パネル５、５の幅と同じであり、支持パネル１０、１０の高さは第一の仕切パネル５、５や第二の仕切パネル６より低い。２枚の支持パネル１０、１０は、それぞれ第一の仕切パネル５、５の下辺に折線を介して連なっているが、隣接する支持パネル１０、１０の端辺は切断線により互いに分離されている。
【００２２】
このようなブランクからトレイ形包装用箱を組み立てる手順について次に説明する。
まず、箱体のブランクから第一と第二の仕切パネル５、６及び支持パネル１０、１０を切り離す。
次に、側外パネル２、２の両側の折線から補助フラップ７、７を何れも内側、すなわち図１において紙面の手前側にほぼ９０゜折り曲げ、さらに、側外パネル２、２を底パネル１との折線から図１において紙面の手前側にほぼ９０゜折り曲げ、箱体の側面外壁を形成する。このとき補助フラップ７、７は、箱体の端面側に位置する。
【００２３】
また、側内パネル８、８の両側の連結フラップ７、７をその折線から図１において紙面の奥側にほぼ９０゜折り曲げる。さらに、側内パネル８、８を側外パネル２、２との２本の折線から図１において紙面の手前側にほぼ９０゜折り曲げる。このとき、連結フラップ７、７は、箱体の端面側に位置し、両側の連結フラップ７、７の先端側が重なるので、それらの先端部を箱体の端面で互いに連結する。
【００２４】
次に、端外パネル３、３を底パネル１との折線から図１において紙面の手前側に９０゜折り曲げ、これを側内パネル８、８の両側から延設された連結フラップ７、７の外側に添える。続いて端内パネル４、４を、端外パネル３、３との境界である２本の折線で９０゜ずつ箱体の内側に折り曲げ、これを側外パネル２、２の両側から延設された補助フラップ９、９の内側に添える。同時に、支持パネル１１を端内パネル４、４との２本の折線から図１において下側に９０゜ずつ折り曲げ、支持パネル１１、１１を端内パネル４、４の内側に起立させる。図２は、片側の端外パネル３、端内パネル４及び支持パネル１１を折り曲げて箱体の端部を構成した状態を示しており、他側の端外パネル３、端内パネル４及び支持パネル１１を展開したままの状態で示している。
【００２５】
次に、第一の仕切パネル５、５をそれらの折線の間でほぼ１８０゜折り曲げて重ね合わせると共に、支持パネル１０、１０を第一の仕切パネル５、５の外側にほぼ１８０゜折り曲げ、第一の仕切パネル５、５の外側に添える。さらに、第一の仕切パネル５、５のスリット１８、１８を上側に向け、第二の仕切パネル６のスリット１２を下側に向け、それらを嵌め込んで直交状に交差させる。このとき、第二の仕切パネル６のスリット１２の下側の広い部分に支持パネル１０、１０を挟み込む。
【００２６】
この状態で、図３に示すように、組み立てた第一の仕切パネル５、５と第二の仕切パネル６を、それぞれ組み立てた箱体の幅方向と長手方向に向けて、その中に挿入する。これにより、箱体の内側は、第一の仕切パネル５、５と第二の仕切パネル６とにより４つの部分に区画される。箱体の端面内側の支持パネル１１、１１は、第二の仕切パネル６の両端の切欠１３、１３により押さえられる。これにより、箱体の組立は完了する。
【００２７】
この箱体の内部の第一の仕切パネル５、５と第二の仕切パネル６とにより区画された４つの部分には、図３に示すようなトレイ状のパッケージ容器１５を収納する。このパッケージ容器１５は、イチゴ等の生鮮果実を収納するためのもので、収納部１６の開口部の周囲にフランジ１７を有する。パッケージ容器１５は、第一の仕切パネル５、５と第二の仕切パネル６とにより区画された部分に収納された状態でそのフランジ１７の一部、すなわちフランジの端部側が前述した支持パネル１０、１０、１１、１１により支持される。箱体を組み立てた状態で支持パネル１０、１０、１１、１１の底パネル１の内面からの高さは、パッケージ容器１５の収納部１６の底面からフランジ１７の高さより高くなっており、このため第一の仕切パネル５、５と第二の仕切パネル６とにより区画された部分に収納されたパッケージ容器１５は、その底面が箱体の底パネル１には接触しない。
【００２８】
このようにして、パッケージ容器１５の底面が箱体の底パネル１には接触しないため、箱体の底パネル１を介してパッケージ容器１５の底面に加わる外力を殆ど無くすことが出来る。パッケージ容器１５の中に収納した生鮮果実等の収納物の傷みや破損を防止することが出来る。
【実施例２】
【００２９】
図４〜図６は、本発明によるトレイ形包装用箱の他の実施例を示す図である。図４がトレイ形包装用箱のブランクの展開図であり、図５が箱体の組立途中の状態、図６が箱体の組立が完了した状態の図である。この実施例は、基本的に図１〜図３による前述した実施例と共通しており、同じ部分は同じ符号で示している。図４の展開図における実線、破線、二点鎖線の意味も図１と同様である。
【００３０】
この実施例によるトレイ形包装用箱が図１〜図３による前述した実施例によるトレイ形包装用箱と相違する点は、第一の仕切プレート５が１枚であり、そのスリット１８がその下辺側に設けられていること、支持プレート１０、１０が第一の仕切プレート５と分離されており、且つ２枚の支持プレート１０、１０がそれらの下辺側の２本の平行な折線で連らなっていること、第二の仕切プレート６のスリット１８がその上辺側に設けられていると共に、その下辺側に２枚の支持プレート１０、１０を差し込むための２本のスリット１４が設けられている点である。
【００３１】
この実施例によるトレイ形包装用箱において、箱体の本体を組み立てる手順は前述した実施例によるトレイ形包装用箱と基本的に同様である。その後の仕切プレート５、６と支持プレート１０、１０の組立手順が若干ことなるので、それを説明する。まず、支持プレート１０、１０をそれらの２本の平行な折線で側面横コ字形に折り曲げる。また、スリット１２、１８を互いに差し込みながら、第一の仕切プレート５と第二の仕切プレート６とを直交状に交差させて組む。この状態を図５に示す。その後、支持プレート１０、１０の間に第一の仕切プレート５を挟み込むと共に、第二の仕切プレート６のスリット１４に支持プレート１０、１０の中央部を差し込み、固定する。この状態で、組み立てた第一の仕切パネル５、５、第二の仕切パネル６及び支持プレート１０、１０を、箱体の中に配置する。この状態を図６に示す。
【００３２】
箱体の内部の第一の仕切パネル５、５と第二の仕切パネル６とにより区画された４つの部分にトレイ状のパッケージ容器１５を収納し、そのフランジ１７を支持パネル１０、１０、１１、１１により支持すること等は、前述した実施例によるトレイ形包装用箱と全く同じであるため、説明を省略する。
【実施例３】
【００３３】
図７〜図９は、本発明によるトレイ形包装用箱のさらに他の実施例を示す図である。図７がトレイ形包装用箱のブランクの展開図であり、図８が箱体の組立途中の状態、図９が箱体の組立が完了した状態の図である。この実施例は、基本的に図１〜図３による前述した実施例と共通しており、同じ部分は同じ符号で示している。また、図７の展開図における実線、破線、二点鎖線の意味も図１と同様である。
【００３４】
この実施例によるトレイ形包装用箱が図１〜図３による前述した実施例によるトレイ形包装用箱と相違する点は、第一の仕切プレート５が折線を介して２つに分割された底パネル１、１の中間に一体に設けられていること、支持プレート１０、１０、１１、１１が第一の仕切プレート５や箱体の本体と分離されており、且つ支持プレート１０と支持プレート１１とが折線と介して連結片１５、１５でそれぞれ連結されていること、第二の仕切プレート６、６が２枚に分離されている点である。第一の仕切プレート５、５は、その中央にスリット１８を有し、第二の仕切プレート６、６は、その第一の仕切プレート５、５のスリット１８に差し込んで固定するためのスリット１２、１２を有し、さらにこのスリット１２、１２に隣接して支持プレート１０、１０を差し込むためのスリット１４、１４を有する。
【００３５】
この実施例によるトレイ形包装用箱において、箱体の本体を組み立てる手順は前述した実施例によるトレイ形包装用箱と同様である。若干異なるのは、図８に示すようにして、第一の仕切プレート５、５を２つに分割された底パネル１、１の間で折起こし、それらの間に起立させることである。
【００３６】
また、２つに分かれた第二の仕切プレート６、６は、第一の仕切プレート５、５で２つに分割された底パネル１、１をそれぞれ２つに区画するように、第一の仕切プレート５、５にスリット１２、１２を差し込んで取り付ける。このとき、支持プレート１０、１０、１１、１１は、連結プレート１５、１５を中央にしてコ字形に折り曲げ、支持プレート１０、１０の中央部を第二の仕切プレート６、６のスリット１４、１４に差し込む。この状態で、支持プレート１０、１０を第一の仕切プレート５、５に近接して平行に固定し、支持プレート１１、１１を端外パネル３、３の内側に添えた補助プレート７、７の内側に添える。この状態を図９に示す。
【００３７】
箱体の内部の第一の仕切パネル５、５と第二の仕切パネル６とにより区画された４つの部分にトレイ状のパッケージ容器１５を収納し、そのフランジ１７を支持パネル１０、１０、１１、１１により支持すること等は、前述した実施例によるトレイ形包装用箱と全く同じであるため、説明を省略する。
【００３８】
なお、以上の各実施例の説明において、箱体の側面と端面は、箱体の上面と底面を除く４面を対向する２組ずつの面に区分して説明するためのもので、箱体の絶対的な位置関係を意味するものではない。それ故例えば、「側外パネル２、２」を「端外パネル２、２」と言い換え、「端外パネル３、３」を「側外パネル３、３」と言い換えることもできることはもちろんである。
【図面の簡単な説明】
【００３９】
【図１】本発明の一実施形態によるトレイ形包装用箱を組み立てる前のブランクを示す平面図である。
【図２】同実施形態によるトレイ形包装用箱を組み立てる途中の状態を示す斜視図である。
【図３】同実施形態によるトレイ形包装用箱の組み立てが完了した状態を示す斜視図である。
【図４】本発明の他の実施形態によるトレイ形包装用箱を組み立てる前のブランクを示す平面図である。
【図５】同実施形態によるトレイ形包装用箱を組み立てる途中の状態を示す斜視図である。
【図６】同実施形態によるトレイ形包装用箱の組み立てが完了した状態を示す斜視図である。
【図７】本発明の他の実施形態によるトレイ形包装用箱を組み立てる前のブランクを示す平面図である。
【図８】同実施形態によるトレイ形包装用箱を組み立てる途中の状態を示す斜視図である。
【図９】同実施形態によるトレイ形包装用箱の組み立てが完了した状態を示す斜視図である。
【符号の説明】
【００４０】
１    底パネル
２    側外パネル
３    端外パネル
４    端内パネル
８    側内パネル
１０  支持パネル
１１  支持パネル
１５  パッケージ容器
１７  パッケージ容器のフランジ
【図１】
2005067671.tif 000003
【図２】
2005067671.tif 000004
【図３】
2005067671.tif 000005
【図４】
2005067671.tif 000006
【図５】
2005067671.tif 000007
【図６】
2005067671.tif 000008
【図７】
2005067671.tif 000009
【図８】
2005067671.tif 000010
【図９】
2005067671.tif 000011